(57)【要約】【課題】ヘアキャッチャが詰まったとき、滞留した排水中に手を入れることなく排水を流出させ排水栓を引き出すことのできる排水栓の排水構造を提供する。【解決手段】洗面ボウル７の排水口８に挿入され、操作ノブの操作により排水管４に排水し止水する排水栓１と、この排水栓１に装着される押し上げ棒９とからなり、該排水栓１はケレップ１１とその底部から垂下するシャフト１２とこのシャフト１２に軸着されたヘアキャッチャ１３とからなるとともに、上記シャフト１２の下端部には操作ノブに連動するレリーズ３に当接して応動する動作伝達部２が設けられ、この動作伝達部２が排水管４の管壁部から貫入した上記押し上げ棒９により手動で上下される排水栓の排水構造。【選択図】図１
2006299738.tif 000002
【特許請求の範囲】
【請求項１】
洗面ボウルの排水口に挿入され、操作ノブの操作により排水管に排水し止水する排水栓と、この排水栓に装着される押し上げ棒とからなり、該排水栓はケレップとその底部から垂下するシャフトとこのシャフトに軸着されたヘアキャッチャとからなるとともに、上記シャフトの下端部には操作ノブに連動するレリーズに当接して応動する動作伝達部が設けられ、この動作伝達部が排水管の管壁部から貫入した上記押し上げ棒により手動で上下される排水栓の排水構造。
【請求項２】
上記押し上げ棒は止水手段を介して排水管の管壁部から水密下に上下移動可能に貫入されるとともに、抜け止め用の鍔部を備えた請求項１に記載の排水栓の排水構造。
【請求項３】
上記止水手段が管壁部に突設された鞘部と袋ナットとからなり、該鞘部と袋ナットとの間に介装された止水パッキンにより止水される請求項２に記載の排水栓の排水構造。
【発明の詳細な説明】
【技術分野】
【０００１】
本発明は、洗面化粧台の排水栓の排水構造に関する。
【背景技術】
【０００２】
従来、洗面化粧台の排水口に用いられる排水栓に関しては、種々の技術が公知であり、例えば、下記特許文献１には、洗面化粧台のカウンターに設けられた操作ノブを操作して排水栓に内設されたケレップを上下させ、排水、止水を行う排水栓装置が提案されている。下記特許文献１の第１図には、ヘアキャッチャを下部に備えたケレップをレリーズにより押し上げ、排水口の開口孔との間に排水空間を設けて排水する排水栓装置が示されている。
【特許文献１】特開平９−８８１４４号公報（第１〜４頁、第１図）
【発明の開示】
【発明が解決しようとする課題】
【０００３】
上記ヘアキャッチャに髪の毛やゴミ等が溜まると排水の流出が妨げられ、洗面ボウルに排水が滞留することがしばしば起こる。この場合、排水が流れ去るのを待つか、汚れた排水の中に手を入れて排水栓を引き出し、閉塞物を取り除いて排水の流出路を確保する必要がある。しかしながら、上記の場合、排水が流れ去るにはかなりの時間を要し、また、洗面ボウルの排水中に手を入れて排水栓を引き出すには不快感が伴うという問題がある。本発明は、このような問題を解決して、ヘアキャッチャが詰まったとき、滞留した排水中に手を入れることなく排水を流出させ、排水栓を引き出すことのできる排水栓の排水構造を提供することを、その課題とする。
【課題を解決するための手段】
【０００４】
上記課題を解決するために、本発明においては、つぎのような技術的手段を講じている。すなわち、本発明によれば、洗面ボウルの排水口に挿入され、操作ノブの操作により排水管に排水し止水する排水栓と、この排水栓に装着される押し上げ棒とからなり、該排水栓はケレップとその底部から垂下するシャフトとこのシャフトに軸着されたヘアキャッチャとからなるとともに、上記シャフトの下端部には操作ノブに連動するレリーズに当接して応動する動作伝達部が設けられ、この動作伝達部が排水管の管壁部から貫入した上記押し上げ棒により手動で上下される排水栓の排水構造が提供される。
【０００５】
上記押し上げ棒は止水手段を介して排水管の管壁部から水密下に上下移動可能に貫入されるとともに、抜け止め用の鍔部を備えることが好ましい。また、上記止水手段は管壁部に突設された鞘部と袋ナットとからなり、該鞘部と袋ナットとの間に介装された止水パッキンにより止水されることが好ましい。
【発明の効果】
【０００６】
請求項１に記載の発明は上記のとおりであり、排水栓を構成するシャフトの下端部に操作ノブに連動するレリーズに当接して応動する動作伝達部が設けられ、この動作伝達部を排水管の管壁部から貫入した押し上げ棒により手動で上下できるため、ヘアキャッチャに髪の毛やゴミ等が詰まって洗面ボウルに排水が滞留したとき、押し上げ棒を動作伝達部の下部にあてがい、手動でレリーズのストロークよりも上方に押し上げればケレップと排水口との間に十分に排水空間を確保することができる。このように、手動で押し上げ棒を作動させて排水するため、滞留した排水の中に手を入れる等、不快な思いをすることなく排水栓を引き出すことができる。
【０００７】
上記押し上げ棒は止水手段を介して排水管の管壁部から水密下に上下移動可能に貫入されるとともに、抜け止め用の鍔部を備えているため、鍔部が邪魔をして排水管の管壁部から抜け落ちることを防ぐ。また、上記止水手段は管壁部に突設された鞘部と袋ナットとからなり、該鞘部と袋ナットとの間に介装され、しっかりと緊締された止水パッキンにより止水されているため、水密下に貫入することができる。
【発明を実施するための最良の形態】
【０００８】
以下、本発明の実施形態について図面を参照して、詳細に説明する。図１は、本発明にかかる排水栓の排水構造を示す一部断面正面図である。図１に示されているように、上記排水栓の排水構造は排水栓１とこの排水栓１に装着される押し上げ棒９とからなり、上記排水栓１は洗面ボウル７の排水口８に挿入される。排水栓１は、ケレップ１１とケレップ１１の底部から垂下するシャフト１２とこのシャフト１２に軸着されたヘアキャッチャ１３とからなり、上記シャフト１２の下端部には動作伝達部２が設けられている。上記動作伝達部２は、図示しない操作ノブに連動するレリーズ３に当接し、レリーズ３の動きに応動してケレップ１１を押し上げ、排水空間を形成して排水を排水管４に排出する。
【０００９】
一方、上記排水栓１に装着される押し上げ棒９は排水管４の管壁部から貫入するとともに、手動により上下され、上記動作伝達部２をレリーズ３のストロークより高い位置にまで排水栓１を押し上げ、かつ、元の位置にまで下ろすことができる。この押し上げ棒９は抜け止め用の鍔部９１を備え、排水管４の管壁部に設けられた止水手段６を介して水密下に上下に移動できるように管壁部から貫入されている。符号５は上記止水手段６に設けられた止水パッキンを示す。
【００１０】
つぎに、本発明の排水栓の排水構造の作用機作について説明する。通常、洗面ボウル７を使用して排水を流す間にヘアキャッチャ１３には髪の毛やゴミが溜まる。ヘアキャッチャ１３が塞がれると排水の流出が妨げられるため、操作ノブを操作して、排水を流出させた後、排水栓１を引き出し、ヘアキャッチャ１３に絡みついた髪の毛やゴミ等を取り除く。このように掃除された排水栓１は再度、洗面ボウル７の排水口８に挿入される。
【００１１】
しかしながら、ケレップ１１を押し上げてもレリーズ３のストロークが足りないため、十分に排水空間を確保できない場合や、ヘアキャッチャ１３が髪の毛等によって閉塞状態となった場合、洗面ボウル７に排水が滞留し、排出できないこととなる。このような場合、本発明にかかる押し上げ棒９を動作伝達部２の下部にあてがい、手動によりレリーズ３のストロークよりも上方に押し上げればケレップ１１は排水口８から図１に想像線で示す位置まで抜け出て排水空間を確保できる。その結果、滞留した排水を容易に排水管４に排出させることができる。このようにした後、排水栓１を引き出せば、汚れた排水の中に手を入れ、不快な思いをすることなく、簡単に排水栓１を引き出すことができる。以後、上記と同様にしてヘアキャッチャ１３を掃除し、排水栓１を洗面ボウル７の排水口８に挿入すれば、再び快適に洗面化粧台を使用することができる。
【図面の簡単な説明】
【００１２】
【図１】本発明にかかる排水栓の排水構造を示す一部断面正面図である。
【符号の説明】
【００１３】
１          排水栓
１１        ケレップ
１２        シャフト
１３        ヘアキャッチャ
２          動作伝達部
３          レリーズ
４          排水管
５          止水パッキン
６          止水手段
７          洗面ボウル
８          排水口
９          押し上げ棒
９１        抜け止め用鍔部
【図１】
2006299738.tif 000003